(57)【要約】【課題】シート状部材の孔に対する誤組付けを防止すると共に、製造コストを低減できるグロメットを提供する。【解決手段】このグロメット１０は、シート状部材の両面から組付けられる、同一形状の一対の取付具１１,１１からなり、各取付具１１は、シート状部材の孔の周縁に係合するフランジ部２５と、このフランジ部２５の裏面から突設されて、上記孔に挿入される挿入部１２と、この挿入部１２の外周に設けられた係合部３０とを有し、係合部３０は、前記取付具の挿入部の中心を通る１つの直線に対して線対称となる位置に配列された、互いに嵌合する少なくとも一対の雄部材３１，３２と雌部材３３，３４とを有し、一対の取付具１１の裏面どうしを向き合わせると、一対の取付具１１の雄部材と雌部材とが互いに整合するように構成されている。【選択図】図１
2008164048.tif 000002
【特許請求の範囲】
【請求項１】
シート状部材の孔に装着されるグロメットにおいて、
該シート状部材の両面から組付けられる、同一形状の一対の取付具からなり、
該取付具は、前記孔の周縁に係合するフランジ部と、このフランジ部の裏面から突設されて、前記孔に挿入される挿入部と、この挿入部の外周に設けられた係合部とを有し、
前記係合部は、前記取付具の挿入部の中心を通る１つの直線に対して線対称となる位置に配列された、互いに嵌合する少なくとも一対の雄部材と雌部材とを有していることを特徴とするグロメット。
【請求項２】
前記係合部は、前記取付具の挿入部の中心を通り、前記直線とは直交する直線上に配置された一対の雄部材及び雌部材を有している請求項１記載のグロメット。
【請求項３】
前記一対の取付具の対応する雄部材及び雌部材の少なくとも一方には、互いに係合した状態で回転を規制するストッパ壁が設けられている請求項１又は２記載のグロメット。
【請求項４】
前記一対の取付具の各挿入部は、前記シート状部材の孔の内周に挿入できる形状で前記フランジ部の裏面側から突出した筒状壁と、この筒状壁の先端部に形成された底壁と、この底壁の中央部に形成された所定形状の抜き孔とを有し、前記各取付具の表面側から見たときに前記抜き孔の周囲が凹状をなしており、前記一対の取付具を前記シート状部材の孔に組付けたとき、前記底壁どうしが当接又は近接するように構成されている請求項１〜３のいずれか１つに記載のグロメット。
【発明の詳細な説明】
【技術分野】
【０００１】
本発明は、シート状部材に形成された孔に装着されるグロメットに関する。
【背景技術】
【０００２】
例えば、車両に載置されたフロアカーペット等の部品に、フロアマット等のシート状部材を固定する際には、部品に設けたフック等の係合部材を、シート状部材に形成された孔に係合させることによりなされる。このとき、シート状部材がゴム等の軟質部材である場合には、係合部材を強固に係合させることが難しいため、一般的には、前記孔にグロメット等の取付部材を装着させ、これに前記係合部材を係合させることにより、部品にシート状部材を固定させるようになっている。
【０００３】
従来のこの種の取付部材として、下記特許文献１には、マットに設けられた孔の表側周縁に係合するフランジ、及び、該フランジから延設され前記孔に挿入されると共に、その内周に突起が突設された外筒部を有する外筒具と、前記孔の裏側周縁に係合するフランジ、及び、該フランジから延設され前記外筒部の内周に挿入されると共に、その外周に前記突起が係合する周溝が形成された内筒部を有する内筒具とを備えるマット用止め具が開示されている。このマット止め具では、マットの表側から前記孔に外筒部を挿入すると共に、マットの裏側から前記孔内に挿入配置された外筒部内周に、内筒具の内筒部を挿入することにより、外筒部内周の突起が内筒部外周の周溝に係合し、外筒具と内筒具とが互いに連結されて、マットの孔にマット用止め具が装着されることとなる。
【０００４】
また、下記特許文献２には、カーペットに形成された貫通孔の表側周縁に係合する第１フランジ部、及び、該第１フランジ部から延設され前記貫通孔に挿通されると共に、その先端部内周から第１係合ツメが突設された第１筒状部を有する第１止め具と、前記貫通孔の裏側周縁に係合する第２フランジ部、及び、該第２フランジ部から延設され前記第１筒状部内周に挿入されると共に、その先端部外周に前記第１係合ツメに係合する第２係合ツメが突設された第２筒状部、更に、前記第２筒状部の先端部内周から斜め下方に向かって伸び、フックに設けられた嵌合突起に係止されるフック係合ツメを有する第２止め具とを備えるフック止め具が開示されている。このフック止め具では、貫通孔の表側から第１筒状部を挿入し、該第１筒状部内に貫通孔の裏側から第２筒状部を挿入して、各係合ツメを互いに係合させることにより、各止め具が互いに連結されて、カーペットの貫通孔にフック止め具が装着される。そして、フックを第２筒状部内に挿入することにより、その内周に斜め下方に伸びるフック係合ツメに嵌合突起が係止して、フック止め具にフックが装着される。
【特許文献１】特開２０００−２２７１０７号公報
【特許文献２】特開平１１−２３０１３４号公報
【発明の開示】
【発明が解決しようとする課題】
【０００５】
上記特許文献１のマット用止め具は、外筒具及び内筒具の２部材からなり、特許文献２のフック止め具も、第１止め具及び第２止め具の２部材からなり、いずれも２つの部材から構成されているため、部品点数が多く、また、各部材をそれぞれ別々の型枠から形成しなければならないので、製造コストが増加するという不都合があった。
【０００６】
また、止め具を構成する各部材は、マット又はカーペットに設けた孔の表側又は裏側から挿入配置されるが、このとき、表裏のどちら側から挿入するかは、各部材によってそれぞれ決まっている。しかしながら、止め具を構成する各部材は、フランジ及び筒部からなり、基本的に同じような形状をなしているため、部品の表裏を間違えて組み付けてしまうことが多かった。特に特許文献２のフック止め具においては、フックの嵌合突起を、第２筒状部の上方開口部から挿入して、斜め下方に伸びるフック係合ツメに係止させる必要があるため、第１止め具及び第２止め具の組み付け位置が逆であると、フックを係止させることができず問題となる。
【０００７】
したがって、本発明の目的は、シート状部材の表裏に関係なく、両方向から問題なく組み付け可能で、シート状部材に形成された孔に装着させることができると共に、製造コストの低減も図れるグロメットを提供することにある。
【課題を解決するための手段】
【０００８】
上記目的を達成するため、本発明の第１は、シート状部材の孔に装着されるグロメットにおいて、該シート状部材の両面から組付けられる、同一形状の一対の取付具からなり、該取付具は、前記孔の周縁に係合するフランジ部と、このフランジ部の裏面から突設されて、前記孔に挿入される挿入部と、この挿入部の外周に設けられた係合部とを有し、前記取付具の挿入部の中心を通る１つの直線に対して線対称となる位置に配列された、互いに嵌合する少なくとも一対の雄部材と雌部材とを有していることを特徴とするグロメットを提供するものである。
【０００９】
上記発明によれば、一対の取付具の一方を上記直線を中心にして回動させて裏返しにすると、一方の取付具の雄部材及び雌部材に、他方の取付具の雌部材及び雄部材が整合する関係となる。その状態で、シート状部材を間にして一対の取付具の裏面どうしを向き合わせ、シート状部材の両面からその孔に各挿入部をそれぞれ挿入すると、一方の取付具の雄部材及び雌部材に、他方の取付具の雌部材及び雄部材がそれぞれ係合して、一対の取付具がシート状部材を挟んで互いに連結され、各フランジ部が孔の表裏周縁にそれぞれ係合して、一対の取付具からなるグロメットが孔に装着される。
【００１０】
そして、グロメットは、同一の形状をなす一対の取付具から構成されているので、形状が異なった２つの部材を別々に用意する必要がなく、また、取付具の成形のための型枠を一種類で済ませることができ、これらにより、製造コストの低減を図ることができる。また、同一の形状をなす一対の取付具が、シート状部材の孔の表裏両側に装着されるので、シート状部材の表裏を間違って装着される虞れがなく、グロメットの誤組付けを防止することができる。
【００１１】
本発明の第２は、前記第１の発明において、前記係合部は、前記取付具の挿入部の中心を通り、前記直線とは直交する直線上に配置された一対の雄部材及び雌部材を有しているグロメットを提供するものである。
【００１２】
上記発明によれば、一対の取付具の一方を裏返しにすると、一方の取付具の雄部材と他方の取付具の雌部材とが周方向に対向した位置で整合するので、周方向にバランスよく係合させることができる。
【００１３】
本発明の第３は、前記第１又は２の発明において、前記一対の取付具の対応する雄部材及び雌部材の少なくとも一方には、互いに係合した状態で回転を規制するストッパ壁が設けられているグロメットを提供するものである。
【００１４】
上記発明によれば、一対の取付具の対応する雄部材及び雌部材を係合させたとき、上記ストッパ壁によって回転方向の移動も規制されるので、雄部材と雌部材との係合が外れることがなく、一対の取付具をシート状部材へしっかりと固定することができる。
【００１５】
本発明の第４は、前記第１〜３の発明のいずれか１つにおいて、前記一対の取付具の各挿入部は、前記シート状部材の孔の内周に挿入できる形状で前記フランジ部の裏面側から突出した筒状壁と、この筒状壁の先端部に形成された底壁と、この底壁の中央部に形成された所定形状の抜き孔とを有し、前記各取付具の表面側から見たときに前記抜き孔の周囲が凹状をなしており、前記一対の取付具を前記シート状部材の孔に組付けたとき、前記底壁どうしが当接又は近接するように構成されているグロメットを提供するものである。
【００１６】
上記発明によれば、一対の取付具をシート状部材の孔に組付けて取付けた状態で、各取付具の表面側の抜き孔の周囲が凹状をなしているので、この抜き孔にフック等の係合部材を介して他の部材を取付けるとき、いずれの面からも取付が可能となる。また、一対の取付具を取付けた状態で、それらの底壁同士が当接するように構成されているので、その部分での剛性を高めることができ、グロメットに係合する部材が引っ張られた場合等における耐荷重を向上させることができる。
【発明の効果】
【００１７】
本発明のグロメットによれば、一対の取付具の裏面どうしを向き合わせて組付け角度を調整しながら、シート状部材の両面からその孔に各挿入部をそれぞれ挿入すると、一方の取付具の雄部材及び雌部材に、他方の取付具の雌部材及び雄部材がそれぞれ係合して両者が連結され、シート状部材の孔にグロメットを装着させることができる。
【００１８】
そして、グロメットは、同一の形状をなす一対の取付具から構成されているため、異種形状の部材を用意する必要がなく、成形のための型枠を一種類で済むので、製造コストを低減できる。また、シート状部材の表裏を間違って装着されることがなく、グロメットの誤組付けを防止できる。
【発明を実施するための最良の形態】
【００１９】
以下、図１〜５を参照して、本発明のグロメットの一実施形態について説明する。
【００２０】
車両の床面に敷かれるフロアカーペットのうち、特に運転席や助手席、後部座席の各座席の足元に位置する、フロアカーペット上に敷かれるフロアマットは、通常はフロアカーペットに対して位置ズレすることなく取付けられ、必要に応じて取外せるようになっている。この実施形態におけるグロメット１０は、図４に示すように、ゴム等の軟質材料からなるフロアマット４１（以下、「マット４１」という）に形成された孔４２に装着されるものであり、装着されたグロメット１０は、車両の床面に敷設されているフロアカーペット４０（以下、「カーペット４０」という）に設けられたフック５０に係合して、カーペット４０に対してマット４１を脱着可能に取付けることができるようにする。すなわち、この実施形態では、マット４１が本発明におけるシート状部材をなしている。
【００２１】
グロメット１０は、図１に示すように、同じ形状をなす一対の取付具１１で構成されている。この取付具１１は、前記マット４１の孔４２に挿入される挿入部１２を有している。この挿入部１２は、ほぼ円筒をなす筒状壁１２ａを有している。この筒状壁１２ａの先端部の内部には、底壁１３が形成されている。底壁１３には、前記フック５０を挿入するための抜き孔１４が形成されている。この実施形態の場合、抜き孔１４は、後述するフック５０の基台部５１（図４参照）が適合するような長方形状をなし、長辺１４ａと短辺１４ｂとを有している。挿入部１２を取付具１１の外側から見ると、上記底壁１３がへこんだ位置にある凹部１５（図２参照）をなしている。また、凹部１５の外周には平坦部１６が形成されている。そして、この平坦部１６の外周に、外方に向けてスカート状に斜めに延びるフランジ部２０が形成されている。このフランジ部２０は、図４に示されるように、一対の取付具１１を前記マット４１の孔４２に組み付けたとき、マット４１の孔４２の周囲に圧接されるようになっている。
【００２２】
この挿入部１２の外周には、少なくとも一対の雄部材と雌部材とからなる係合部３０が設けられている。この実施形態の場合、係合部３０として、第１雄部材３１と第１雌部材３３とからなるもの２対と、第２雄部材３２と第２雌部材３４とからなるもの１対とを有し、合計３対設けられている。
【００２３】
図５（Ａ）は、上記係合部３０の配置関係を示している。すなわち、第１雄部材３１と第１雌部材３３、並びに第２雄部材３２と第２雌部材３４は、挿入部１２の中心Ｏを通る特定の直線Ｙに対して、互いに線対称な位置（すなわち直線Ｙに対して直交する直線上にあり、かつ、直線Ｙに対して同じ距離をなす位置）に設けられている。その結果、直線Ｙを中心に回転させて裏返しにすると、第１雄部材３１は、裏返す前の第１雌部材３３に重なり、第１雌部材３３は、裏返す前の第１雄部材３１に重なり、第２雄部材３２は、裏返す前の第２雌部材３４に重なり、第２雌部材３４は、裏返す前の第２雄部材３２に重なるようになっている。
【００２４】
また、この実施形態の場合は、一対の第２雄部材３２と第２雌部材３４は、上記中心Ｏを通り、上記直線Ｙに対して直交する直線Ｘ上に配置されている。更に、第１雄部材３１と第１雌部材３３は、直線Ｙを挟んで隣接して配置されている。その結果、一対の取付具１１同士を組み付けたとき、係合部３０が挿入部１２の外周のほぼ９０度ずつ離れた箇所に形成され、係合部３０による連結箇所をバランスよく設けて安定して取付けることができる。
【００２５】
図１，２に示すように、第１雄部材３１は、挿入部１２の外周に対して所定の間隙を設けて立設された一対の柱状片３１ａと、この柱状片３１ａの先端部から内周側に向けて突設された爪部３１ｂとを有している。これに対して、第１雌部材３３は、挿入部１２の外壁の一部を平坦にして形成された壁部３３ａと、この壁部３３ａの底壁１３側から外周側に突設された爪部３３ｂと、壁部３３ａの一側（隣接する第１雄部材３１側）に形成されたストッパ壁３３ｃとを有している。
【００２６】
そして、一対の取付具１１を組み付けたとき、第１雄部材３１の爪部３１ｂが、第１雌部材３３の爪部３３ｂに係合して、引き剥がし方向に対する固定力を付与すると共に第１雄部材３１の柱状片３１ａの一側が、第１雌部材３３のストッパ壁３３ｃに係合して、回転方向に対する回り止めがなされるようになっている。なお、前述したように、第１雄部材３１と第１雌部材３３は、直線Ｙを挟んで隣接して配置されているので、一方の取付具１１の雄部材３１が回り止めされる方向と、他方の取付具１１の雄部材３１が回り止めされる方向とが反対となるため、結局、一対の取付具１１はいずれの方向にも回り止めされることになる。
【００２７】
また、第１雄部材３１の柱状片３１ａ及び爪部３１ｂと、第１雌部材３３の壁部３３ａ及び爪部３３ｂとは、直線Ｙに対して直交する直線Ｘと平行な表面を有している。その結果、金型を直線Ｘ方向に移動する一対の型で構成したとき、上記第１雄部材３１と第１雌部材３３とを容易に成形できるようにしている。
【００２８】
第２雄部材３２は、上記直線Ｘ上にあって、挿入部１２の一方の外周に配置されており、底壁１３側に外方に向けて突出する爪部３２ａを有している。また、第２雌部材３４は、前記爪部３２ａを挿入できる間隔を設けて立設された一対の柱状部３４ａと、これらの柱状部３４ａの先端部を連結する架橋部３４ｂと、それらによって囲まれた透孔３４ｃとを有している。
【００２９】
そして、一対の取付具１１を組み付けたとき、第２雄部材３２の爪部３２ａが、第２雌部材３４の透孔３４ｃに挿入され、架橋部３４ｂに係合して引き剥がし方向に対する固定力を付与すると共に、爪部３２ａの両側が一対の柱状部３４ａに係合して回転方向に対する回り止めがなされるようになっている。したがって、この係合部の場合、一対の柱状部３４ａが本発明におけるストッパ壁をなしている。
【００３０】
第２雄部材３２と、第２雌部材３４とは、前述したように、特定の直線Ｙに対して直交する直線Ｘ上に配置されて、中心Ｏに対して対向するように配置されている。その結果、係合が挿入部１２の対向する部分でなされるので、固定力をバランスよく付与することができるという利点がもたらされる。なお、このような場合の雄部材及び雌部材は、直線Ｘ方向に移動する一対の金型によって成形がなされるにするため、雌部材が上記のように枠状をなし、雄部材がその枠体に嵌合する爪部を有するものであることが好ましい。
【００３１】
なお、本発明において、雄部材、雌部材という言葉は、互いに嵌合する一対の部材の一方と他方とを意味する言葉として用いており、特定の形状に限定するものではない。
【００３２】
一方、同図４に示すように、カーペット４０に設けられたフック５０は、前記取付具２０の抜き孔１４に適合する角柱状をなし、カーペット５の上面から所定長さで突設された基台部８と、前記抜き孔１４にほぼ適合する長方形状をなし、上記基台部８の上部に回動可能に装着された回転ノブ９とから構成されている。
【００３３】
次に、上記構成からなる本発明のグロメット１０の使用方法について説明する。
【００３４】
まず、一方の取付具１１の挿入部１２を、マット４１の孔４２の裏面側から挿入して、フランジ部２０を孔４２の裏面側周縁に当接させて、マット４１の裏側に一方の取付具１１を配設する。
【００３５】
そして、他方の取付具１１の挿入部１２を、マット４１の表面側から孔４２に挿入するのであるが、その際に、一方の取付具１１の第１雄部材３１が他方の取付具１１の第１雌部材３３に整合し、かつ、一方の取付具１１の第２雄部材３２が他方の取付具１１の第２雌部材３４に整合するように、回転位置決めする。
【００３６】
こうして位置決めした取付具１１どうしを、それらの間にマット４１を挟むようにして押圧して組み付けると、一方の取付具１１の第１雄部材３１が他方の取付具１１の第１雌部材３３に係合し、かつ、一方の取付具１１の第２雄部材３２が他方の取付具１１の第２雌部材３４に係合して、図３に示すように、一対の取付具１１がマット４１を挟んで連結され、マット４１の孔４２の周囲を覆うように取付けられる。
【００３７】
このとき、フランジ部２０が、マット４１の孔４２の周縁に圧接されて、グロメット１０は、ガタ付きなくマット４１に固定される。また、挿入部１２の内端に形成された底壁１３どうしが当接又は近接して、抜き孔１４の周囲に強固な壁部を形成する。更に、各取付具１１の底壁１３に形成された抜き孔１４は整合して、ほぼ長方形状の係合孔が形成される。
【００３８】
こうして、グロメット１０を取付けたマット４１は、例えば図４に示すような方法で、カーペット４０の着脱可能に固定される。すなわち、カーペット４０には、前述したフック５０が取付けられており、このフック５０の回転ノブ５２の長手方向を基台部５１の上面の長手方向と同じ方向に回動した状態で、図４（Ａ）に示すように、カーペット４０に取付けられたグロメット１０の抜き孔１４に挿入する。前述したように、フック５０の基台部５１及び回転ノブ５２は、抜き孔１４に適合する形状をなしているので、上記抜き孔１４を挿通されて、回転ノブ５２がカーペット４０の表面側に突き出た状態となる。
【００３９】
この状態で、図４（Ｂ）に示すように、回転ノブ５２の長手方向が、基台部５１の上面の長手方向に対して直交する方向、言い換えると、抜き孔１４の長辺１４ａと直交する方向になるように回動させると、回転ノブ５２が抜き孔１４の長辺１４ａに係合し、フック５０が抜け止めされて、マット４１をカーペット４０に固定することができる。
【００４０】
このように、本発明のグロメット１０は、全く同じ形状をなす一対の取付具１１からなるので、一対の取付具１１の金型を共通にして製造コストを低減することができる。また、部品管理が容易となり、表側用、裏側用などの組み付けミスも生じることがないので、組み付け時の作業性を向上させることができる。
【００４１】
なお、係合部３０を構成する雄部材と雌部材との配置は、前述したように、挿入部１２の中心Ｏを通る特定の直線Ｙに対して線対称な位置にあればよく、特に限定されない。例えば、図５（Ｂ）、（Ｃ）は、それぞれ異なる配置例を示しており、×は雄部材３５、○は雌部材３６を表している。
【００４２】
（Ｂ）の例では、直線Ｙを挟んで隣接する一対の雄部材３５、雌部材３６が、周方向に対向して合計２対設けられ、同じく中心Ｏを通り、直線Ｙに対して直交する直線Ｘを挟んで隣接する一対の雄部材３５、雌部材３６が、周方向に対向して合計２対設けられている。その結果、挿入部１２の周方向にほぼ９０度ずつ離れた位置で、一対ずつの係合部３０による係合がなされ、より強固な固定が可能となる。
【００４３】
（Ｃ）の例では、直線Ｙに対して線対称な位置に、周方向にほぼ９０度ずつ離れて、雄部材３５と雌部材３６とが交互に合計２対形成されており、一対の取付具１１を組み付けたとき、挿入部１２の周方向の４箇所で係合がなされるようになっている。
【００４４】
なお、上記実施例形態では、マット４１の孔４２に取付けるグロメット１０に適用した例となっているが、本発明は、様々なシート状部材の孔に取付けられるグロメットに適用することができ、例えばシート状部材の孔を塞ぐためのホールプラグに適用することもできる。
【図面の簡単な説明】
【００４５】
【図１】本発明のグロメットを構成する一対の取付具を示す斜視図である。
【図２】同グロメットを構成する取付具を示しており、（Ａ）は平面図、（Ｂ）は（Ａ）のＡ−Ａ矢視線における断面図、（Ｃ）は（Ａ）のＢ−Ｂ矢視線における断面図である。
【図３】同グロメットを構成する一対の取付具を、連結させた状態を示す斜視図である。
【図４】同グロメットを装着したシート状部材を、他の部品に対して取付ける状態を示しており、（Ａ）は取付け前の状態を示す説明図、（Ｂ）は取付けた状態を示す説明図である。
【図５】同グロメットを構成する取付具に設けた係合部の配列態様を示しており、（Ａ）は第１の配列態様を示す模式図、（Ｂ）は第２の配列態様を示す模式図、（Ｃ）は第３の配列態様を示す模式図である。
【符号の説明】
【００４６】
１０  グロメット
１１  取付具
１２  挿入部
１３  底壁
１４  抜き孔
１５  凹部
１６  平坦部
２０  フランジ部
３０  係合部
３１  第１雄部材
３２  第２雄部材
３３  第１雌部材
３４  第２雌部材
３５  雄部材
３６  雌部材
４０  フロアカーペット
４１  フロアマット
４２  孔
Ｏ  中心
Ｙ  特定の直線
Ｘ  特定の直線に対して直交する直線
【図１】
2008164048.tif 000003
【図２】
2008164048.tif 000004
【図３】
2008164048.tif 000005
【図４】
2008164048.tif 000006
【図５】
2008164048.tif 000007